(57)【要約】【課題】機構が簡単で、取扱い方が簡単で安全あり、持ち運びが簡単で軽量であり、さらに保管場所を選ばず保管できる身長測定器を提供する。 【解決手段】    簡易身長測定器は、取り付け部と巻き尺３とメジャー４とから構成する。    取り付け部のプレート背面６に磁石１６を固定しておく。    取り付け部のプレート下面７に設けられたメジャーの引き出し孔１５からメジャー４を引き出して使用する。 【選択図】                    図３
0003209851.tif 000002
【実用新案登録請求の範囲】
【請求項１】
簡易身長測定器であって、下端部が頭頂部に接触させることが出来る
ように形成されている取り付け部と、この取り付け部に設けられた巻き
尺と、下側に引き出すことが出来、かつ引き出してから巻き取ることが
出来る前記巻き尺に収納されたメジャーを備え、前記取り付け部の後端部
は磁石が設けられていることを特徴とする簡易身長測定器。
【請求項２】
前記巻き尺には引き出した前記メジャーを巻き取るための巻き取り
ボタンが設けられていて、この巻き取りボタンは、前記取り付け部の
側面に設けられた操作窓に位置していることを特徴としている請求項１
に記載の簡易身長測定器。
【請求項３】
前記取り付け部はアクリル又はＡＢＳ樹脂製であることを特徴とする
請求項１又は２記載の簡易身長測定器。  
【請求項４】
前記取り付け部の下端部は平面状に形成され、前記取り付け部の後端部は
この下端部と直角になるよう平面状又は直線状に形成されていて、前記
後端部に前記磁石を取り付けていることを特徴とする請求項１，２又は
３記載の簡易身長測定器。
【請求項５】
前記取り付け部の下端には後端側に引き出し孔が設けられ、前記メジャーはこの引き出し孔から引き出されるものであり、この引き出し孔は、前記巻き尺の出入口と垂直方向に並んで設けられていることを特徴とする
請求項１、２、３又は４記載の簡易身長測定器。
【考案の詳細な説明】
【技術分野】
【０００１】
家庭や学校で身長を測る身長測定器に関するものである。
例えば、学校の授業において理科、算数の数字の読み取り、定規の目盛りの読み取り教材として身長測定器を介して学ぶことが出来る
身長測定器に関するものである。
例えば、家庭においても成長時期の子供が一人でも簡単に身長測定が行える身長測定器に関するものである。
【背景技術】
【０００２】
学校であれば、保健室に設置された場所でしか身長測定が行えないことがある。
この身長測定器は、踏み台と、この踏み台に設けられた支柱と、この支柱に取り付けられた頭頂部の位置を測るためスケールと、スケールを上下スライドさせるための支柱に形成された溝を有している。
家庭内であれば、この身長測定器は設置場所、保管場所、スペースの確保が難しく、家庭の使用、利用に適さないため、代用として柱、壁等を利用し、被身長測定者以外の人に手伝ってもらい定規等を用いて壁と頭頂部が直角になるよう当てて、頭頂部箇所に鉛筆等で柱、壁等に目印を付けた箇所から床までの距離をメジャーで測定することが主であった。
【０００３】
このような、身長測定方法では被測定者自身で身長を測ることは困難であるという課題がある。
【０００４】
そこで、例えば測定者が自らで正確に身長測定ができるように、メジャー先端部に踏板を取付け、頭頂部の当ての機構に巻き尺と水平器を備え取り付けられた身長測定器が提案されている。（特許文献１）
【先行技術文献】
【特許文献】
【０００５】
【特許文献１】特開２０１５−１３６４８３
【考案の概要】
【考案が解決しようとする課題】
【０００６】
しかし、メジャー先端部に取付けられた足踏板を踏んだ状態で姿勢を保持しつつ、頭頂部に当てる機構部を頭頂部まで巻き尺からメジャーを繰り出して、かつ水平器で水平を保持するために直立姿勢の維持をし、頭頂部に当てる機構部を手で支えながら、水平器で水平を確認し、取付けられたメジャーの目盛りの読み取りを行わなければならない。
身長測定を行う際には姿勢が傾かないよう維持、機器の保持と確認を繰り返し行わなければ身長測定が出来ないところに問題がある。
【０００７】
この考案は、日々、成長過程にある子供は頻繁に身長を気にすることがあり、家庭内でも容易に身長測定が一人で行えることにある。及び、小学生低学年の子供が自分自身の身長を測ることによって数字、定規の目盛りの読み方に興味を抱けるように教育学習の一貫として数字、目盛りの読み方を慣れさせることを目的とする。
また、身長測定器は機構が簡単であること、取扱い方が簡単で安全であることと持ち運びが簡単で軽量であること、かつ保管場所を選ばず保管できる身長測定器を提供することにある。    
【課題を解決するための手段】
【０００８】
かかる課題を解決するために、この考案は、以下に示すような機構にした。
【０００９】
請求項１に記載の考案では、簡易身長測定器は下端部が頭頂部に接触さ
せることが出来るように形成されている取り付け部と、この取り付け部に
設けられた巻き尺と、下側に引き出すことが出来、かつ引き出してから
巻き取ることが出来る前記巻き尺に収納されたメジャーを備え、前記取
り付け部の後端部に磁石が設けられていて、機構的に簡単にした簡易身
長測定器にすること。
【００１０】
請求項２に記載の考案では、巻き尺は引き出したメジャーを巻き取る
ための巻き取りボタンが設けられていて、前記取付け部の側面部に巻き
取りボタンが位置する箇所に操作窓を設けることにより、指での操作を
簡単にした簡易身長測定器にすること。
【００１１】
請求項３に記載の考案では、頭頂部に接触させることが出来るように形成される機構部は、ＡＢＳ樹脂もしくは、アクリル板等を利用して、頭頂部の頭囲に合った大きさに加工し長方形の箱形状に形成して、巻き尺のケース材質等はプラスチック製が使用されていて、さらにメジャーの材質には、グラスファイバー製、繊維製等が使用されているものを有することと、形状の角部にはＲを付けた加工を行い人へ損傷を与えないように安全を考慮した加工を行い、軽量化した簡易身長測定器にすること。
【００１２】
請求項４に記載の考案では、取り付け部の下端部は、平面状に形成することと、前記 取り付け部の後端部はこの下端部と直角になるよう平面状又は直線状に形成することによって、正確に頭頂部の位置が得られるようにすること。
後端部に前記磁石を取り付けることにより例えば、学校であれば部屋の間仕切りに使用されている磁石がつくパーテンションのパネル、あるいは掲示パネルを利用し、家庭であれば磁石がつく冷蔵庫の壁面パネル等を利用し簡易身長測定器が取付け及び取外しが容易であること。
被測定者の姿勢が傾かないよう維持が出来るような場所として、前記パネル等に背を合わせて姿勢の維持が出来る場所を選ぶことと、姿勢の維持と簡易身長測定器を手で支持した状態の維持の必要なく身長測定が容易に行える簡易身長測定器にすること。
【００１３】
請求項５に記載の考案では、前記取り付け部の下端には後端側に引き出し孔を設けて、前記メジャーはこの引き出し孔から引き出すことにより、この引き出し孔と前記巻き尺のメジャーの出入口と垂直方向に並んで設けることによって、メジャーの引き出しの動作が円滑になることと正確な身長測定が行える機構にすること。
【考案の効果】
【００１４】
前記、構成によりこの考案は以下のような効果を有する。
【００１５】
本考案の簡易身長測定器は、下端部が頭頂部に接触させることが出来るように形成され、取り付け部と、この取り付け部に設けられた巻き尺は、コンパクトな裁縫用の巻き尺とメジャーを有し、メジャーが下側に引き出すことが出来、かつ引き出してから巻き取り、前記巻き尺に収納が出来る巻き尺を備えている。前記簡易身長測定器の後端部には磁石が設けられていて、磁石がつくことが可能な家庭にある冷蔵庫の壁面パネル及び、間仕切りに使用されるパーテーションの壁面パネルを利用し、簡易身長測定器に設けた磁石で
前記壁面パネルに仮留めが出来、仮留めした状態でスライドさせて頭頂部の位置に合わせることを容易にし、被測定者自身で正確に身長測定が行うことが出来、取扱いが簡単で軽量で持ち運びが出来、保管場所を選ばず保管が出来ることである。
頭頂部に簡易測定器を合わせた後、姿勢の維持と簡易身長測定器を手で支持する必要が無くなり、メジャーを引き出しメジャー先端に表示されている目盛り“０“が床面に接触するまでメジャーを引き出してメジャーの目盛りを読み取りが出来ることである。
【図面の簡単な説明】
【００１６】
【図１】簡易身長測定器の形状を表した立体図１を示す。
【図２】簡易身長測定器の形状を表した立体図２を示す。
【図３】簡易身長測定器の右側面の断面図を示す。
【図４】簡易身長測定器の左側面の断面図を示す。
【図５】簡易身長測定器の正面側の断面図を示す。
【図６】簡易身長測定器の背面図を示す。
【図７】簡易身長測定器の上面断面図を示す。
【図８】簡易身長測定器の下面図を示す。
【図９】簡易身長測定器を設置した図を示す。
【図１０】図９の拡大図を示す。
【図１１】簡易身長測定器の取扱い手順を図に示す。
【考案を実施するための形態】
【００１７】
以下、この考案の簡易身長測定器の実施の形態について説明する。
この考案の実施の形態と機構は、考案の最も好ましい形態と機構を示すものであり、この考案はこれに限定されない。
【実施例】
【００１８】
この簡易身長測定器の実施の形態と機構を図1及至図１１に基づき説明する。
【００１９】
簡易身長測定器は、取り付け部とこの取り付け部の内側に配置固定された巻き尺とメジャーとから構成されている。
【００２０】
図１、図２に示す簡易身長測定器１の形状は、底面に長方形のプレート下面７が水平、又は直線状に配置され、前記長方形の短辺の両端に垂直にかつ互いに平行にプレート正面５とプレート背面６を配置して、上部には傾斜するプレート上面８が配置され、側面には一対のプレート左右側面９，１０が配置され、台形の箱形状に形成されている。
【００２１】
一対の左右側面プレート９，１０の内側には巻き尺３の取り付けスペース２が設けられており、取り付けスペース２に巻き尺３を配置して固定した状態を図３，図４に示す。
【００２２】
プレート下面７の後端側にメジャー４の引き出し孔１５の位置と形状を図８に示し、巻き尺３のメジャー４の出入口１２がメジャー４の引き出し孔１５と垂直方向に並んで位置していることを図３，図４に示す。
【００２３】
プレート左側面９には、巻き尺３の巻き取りボタン１４の操作窓１１が設けられており、巻き取りボタン１４の位置に操作窓１１の位置が合わさるよう形成されていることを図５，図７に示す。
【００２４】
メジャー４の先端部１８の形状は、メジャー４の目盛り“０”の位置が先端部１８の先端にくるように加工し、メジャー４を引き出すためのつまみ１３を取り付けた状態を図１、図２に示す。
【００２５】
図６には、プレート背面６に磁石１６を配置した状態を示す。
使用する磁石１６は、メジャー４を引き出す応力で動かい程度の強力な磁石で厚みは薄く、大きさは簡易身長測定器１からはみ出ない大きさを使用することが好ましい。
例えば、複数の四角形状の磁石１６は隙間を設けてプレート背面６に固定する。あるいは磁石１６はプレート背面６に対応する形状の一枚のものであってもよい。
【００２６】
図９には、壁面パネル１９に簡易身長測定器１を設置し、メジャー４の先端部１８が床２０に接するまで引き出した状態を示す。
【００２７】
図１０には、図９の拡大図を示しており、メジャー４の先端部１８が床２０に接触させた状態を示し、メジャー４の目盛りを読み取る位置１７を示し、目盛りを読み取る位置１７で読み取った目盛りが身長を表す。
【００２８】
図１１には、簡易身長測定器１を被測定者が身長測定を行う際の取扱い手順を図に示したものである。
【産業上の利用可能性】
【００２９】
この考案の簡易身長測定器は、機構が簡単で安全であることと、取扱い方が簡単であること、持ち運びが簡単で軽量であること、かつ保管場所を選ばず保管できる。
家庭や学校でも容易に身長測定が一人で行えることができる。例えば学校において、小学生の低学年の授業において理科、算数の数字の読み取り及び、定規の目盛り読み取りが身長測定を介して親しみ、学ぶことが出来き、教材としても使用できる簡易身長測定器である。
【符号の説明】
【００３０】
１    簡易身長測定器１
２    取り付けスペース
３    巻き尺
４    メジャー
５    プレート正面
６    プレート背面
７    プレート下面
８    プレート上面
９    プレート左側面
１０  プレート右側面
１１  操作窓
１２  出入口
１３  つまみ
１４  巻き取りボタン
１５  引き出し孔
１６  磁石
１７  目盛を読み取る位置
１８  先端部
１９  壁面パネル
２０  床
【図１】
0003209851.tif 000003
【図２】
0003209851.tif 000004
【図３】
0003209851.tif 000005
【図４】
0003209851.tif 000006
【図５】
0003209851.tif 000007
【図６】
0003209851.tif 000008
【図７】
0003209851.tif 000009
【図８】
0003209851.tif 000010
【図９】
0003209851.tif 000011
【図１０】
0003209851.tif 000012
【図１１】
0003209851.tif 000013